(57)【要約】  解像度変換が行われると、画像の合成位置がユーザの意図する位置からずれてしまうという問題を解決する表示装置を提供する。  入力部（２１）は、第１の画像データを受け付ける。生成部（２７）は、第２の画像データを生成する。変換部（２３）は、第１の画像データの解像度を変換する。合成部（２４）は、解像度が変換された第１の画像データに第２の画像データを合成して合成画像データを生成する。表示部（２５）は、合成画像データに応じた合成画像を表示する。データ通信部（２６）は、第１の画像データが示す画像による移動量を受け付ける。調整部（２９）は、移動量を度変換部（２３）による解像度の変換率に基づいて補正し、その補正した移動量に応じて、画像合成部（２４）にて合成される第２の画像データの合成位置を調整する。
2012042662.tif 000002
【特許請求の範囲】
【請求項１】
第１の画像データを受け付ける入力部と、
第２の画像データを生成する生成部と、
前記第１の画像データの解像度を変換する変換部と、
前記解像度が変換された第１の画像データに前記第２の画像データを合成して合成画像データを生成する合成部と、
前記合成画像データが示す合成画像を表示する表示部と、
前記第１の画像データによる画像の移動量を受け付ける通信部と、
前記移動量を前記解像度の変換率に基づいて補正し、当該補正した移動量に応じて、前記合成部にて合成される第２の画像データの合成位置を調整する調整部と、を有する表示装置。
【請求項２】
請求項１に記載の表示装置において、
前記調整部は、前記移動量の水平方向成分に前記解像度の水平方向の変換率を乗算し、かつ、前記移動量の垂直方向成分に前記解像度の垂直方向の変換効率を乗算して、前記移動量を補正する、表示装置。
【請求項３】
請求項１または２項に記載の表示装置において、
操作装置と接続され、
前記生成部は、前記操作装置に対する描画操作に応じて前記第２の画像データを生成する、表示装置。
【請求項４】
請求項１ないし３のいずれか１項に記載の表示装置と、
前記表示装置に前記第１の画像データを出力する画像出力装置と、を有する表示システム。
【請求項５】
請求項４に記載の表示システムにおいて、
前記画像出力装置は、前記表示装置に前記移動量を出力する、表示システム。
【請求項６】
第１の画像データを受け付け、
第２の画像データを生成し、
前記第１の画像データに対して解像度変換を行い、
前記解像度変換が行われた第１の画像データに前記第２の画像データを合成して合成画像データを生成し、
前記合成画像データが示す合成画像を表示し、
前記第１の画像データによる画像の移動量を受け付け、
前記移動量を前記解像度変換の変換率に応じて補正し、当該補正した移動量に基づいて、前記合成部にて合成される前記第２の画像データの合成位置を調整する、合成位置調整方法。
【発明の詳細な説明】
【技術分野】
【０００１】
本発明は、画像を合成して表示する表示装置、表示システムおよび合成位置調整方法に関する。
【背景技術】
【０００２】
プロジェクタなどの表示装置には、画像出力装置からの入力画像に対して、表示装置に備わったマウスなどにより描写された描写画像を合成し、その合成画像を表示できるものがある。ユーザは、このような表示装置を用いることにより、入力画像内の所望の位置に線や文字などを表示させることができる。【０００３】
しかしながら、描写画像は入力画像とは独立して生成されるため、入力画像がスクロールしても、描写画像はスクロールされない。このため、入力画像がスクロールすると、描画画像の合成位置がユーザの意図する位置からずれてしまうという問題があった。【０００４】
これに対して特許文献１には、ディスプレイに表示された表示画像がスクロールした場合、その表示画像上に描写された描写オブジェクトを、表示画像のスクロール量と同じ距離だけ移動させるスクロール同期システムが記載されている。この技術を表示装置に適用すれば、入力画像がスクロールしても、入力画像のスクロール量と同じ距離だけ描画画像を移動させることが可能になるので、描写画像の位置をユーザの意図に合わせることが可能になる。
【先行技術文献】
【特許文献】
【０００５】
【特許文献１】特開２００７−４８２５号公報
【発明の概要】
【発明が解決しようとする課題】
【０００６】
表示装置において入力画像に対して解像度変換が行われると、入力画像のスクロール量が変化する。【０００７】
しかしながら、特許文献１に記載のスクロール同期システムでは、表示画像に対する解像度変換については考慮されていないため、特許文献１に記載の技術を表示装置に適用した場合、入力画像に対して解像度変換が行われて入力画像のスクロール量が変化しても、描写画像については元のスクロール量と同じ距離だけ位置が移動されてしまうので、描画画像の位置がユーザの意図する位置からずれてしまうという問題がある。【０００８】
本発明の目的は、上記の課題である、解像度変換が行われると、画像の位置がユーザの意図する位置からずれてしまうという問題を解決する表示装置、表示システムおよび合成位置調整方法を提供することである。
【課題を解決するための手段】
【０００９】
本発明による表示装置は、第１の画像データを受け付ける入力部と、第２の画像データを生成する生成部と、前記第１の画像データに対して解像度変換を行う変換部と、前記解像度変換が行われた第１の画像データに前記第２の画像データを合成して合成画像データを生成する合成部と、前記合成画像データが示す合成画像を表示する表示部と、前記第１の画像データが示す画像による移動量を受け付ける通信部と、前記移動量を前記解像度変換の変換率に応じて補正し、当該補正した移動量に基づいて、前記合成部にて合成される第２の画像データの合成位置を調整する調整部と、を有する。【００１０】
また、本発明による表示システムは、前記表示装置と、前記表示装置に前記第１の画像を出力する画像出力装置と、を有する。【００１１】
また、本発明による表示方法は、第１の画像データを受け付け、第２の画像データを生成し、前記第１の画像データに対して解像度変換を行い、前記解像度変換が行われた第１の画像データに前記第２の画像データを合成して合成画像データを生成し、前記合成画像データが示す合成画像を表示し、前記第１の画像データによる画像の移動量を受け付け、前記移動量を前記解像度変換の変換率に応じて補正し、当該補正した移動量に基づいて、前記第２の画像データの合成位置を調整する。
【発明の効果】
【００１２】
本発明によれば、解像度変換が行われても、画像の合成位置をユーザの意図と合わせることが可能になる。
【図面の簡単な説明】
【００１３】
【図１】本発明の一実施形態の表示システムを示す図である。
【図２】本発明の一実施形態の表示システムの動作を説明するためのフローチャートである。
【図３】基準画像の一例を示す図である。
【図４】描画画像の一例を示す図である。
【図５】合成画像の一例を示す図である。
【図６】基準画像の他の例を示す図である。
【図７】描写画像の他の例を示す図である。
【図８】合成画像の他の例を示す図である。
【発明を実施するための形態】
【００１４】
以下、本発明の実施形態について図面を参照して説明する。なお、以下の説明では、同じ機能を有するものには同じ符号を付け、その説明を省略する場合がある。
【００１５】
図１は、本発明の一実施形態の表示システムを示す図である。図１において、表示システムは、パソコン１と、プロジェクタ２とを有する。パソコン１とプロジェクタ２は、信号ケーブル３および通信ケーブル４のそれぞれを介して相互に接続されている。
【００１６】
パソコン１は、第１の画像データである基準画像データを、信号ケーブル３を介してプロジェクタ２に出力する画像出力装置である。
【００１７】
より具体的には、パソコン１には、マウス１１およびキーボード１２を有する入力装置と、表示モニター１３とが接続されている。パソコン１は、入力装置への入力内容に応じて基準画像データを生成し、基準画像データが示す基準画像を表示モニター１３に表示するとともに、基準画像データをプロジェクタ２に出力する。
【００１８】
また、ユーザから基準画像データが示す基準画像をスクロールする旨のスクロール指示が入力装置に入力されると、パソコン１は、スクロール指示に応じて表示モニター１３上の基準画像をスクロールさせるとともに、そのスクロールによって移動した基準画像の移動量を示す移動情報を、通信ケーブル４を介してプロジェクタ２に出力する。移動量は、基準画像が１フレームまたは予め定められた複数フレーム間に移動した表示モニター１３上の距離であり、水平方向成分と垂直方向成分とを有する。
【００１９】
プロジェクタ２は、パソコン１から出力された基準画像データに応じた基準画像を表示する表示装置である。
【００２０】
プロジェクタ２は、画像入力部２１と、画像入力用メモリ２２と、解像度変換部２３と、画像合成部２４と、表示部２５と、データ通信部２６と、生成部２７と、オンスクリーン用メモリ２８と、調整部２９とを備える。また、プロジェクタ２には、操作装置であるマウス５が接続されている。なお、生成部２７および調整部２９は、物理的に同一のＣＰＵで構成されてもよい。
【００２１】
画像入力部２１は、パソコン１から基準画像データを受け付ける。また、画像入力部２１は、基準画像データに対するＡ／Ｄ変換などを適宜行う。
【００２２】
画像入力用メモリ２２は、画像入力部２１が受け付けた基準画像データを記録する。
【００２３】
解像度変換部２３は、画像入力用メモリ２２に記録された基準画像データに対して解像度変換を行う。
【００２４】
画像合成部２４は、解像度変換部２３にて解像度変換が行われた基準画像データに、オンスクリーン用メモリ２８に記録されている第２の画像データである描画画像データを合成して合成画像データを生成する。
【００２５】
表示部２５は、液晶パネルなどの表示デバイスを用いて、画像合成部２４にて生成された合成画像データに応じた合成画像を不図示のスクリーンなどに表示する。
【００２６】
データ通信部２６は、パソコン１から、基準画像の移動量を示す移動情報を受け付ける。  生成部２７は、マウス５に対する描画操作に応じて描画画像データを生成する。
【００２７】
オンスクリーン用メモリ２８は、生成部２７にて生成された描画画像データを記録する。
【００２８】
調整部２９は、画像入力部２１が受け付けた基準画像データの同期信号に基づいて、基準画像データの解像度を検出し、その基準画像データの解像度が所定解像度に変換されるように解像度変換部２３を設定して、解像度変換部２３に基準画像データの解像度を所定解像度に変換させる。所定解像度は、表示部２５の表示デバイスにて表示可能な最大の解像度でもよいし、ユーザから指定された解像度でもよい。また、調整部２９は、基準画像データの解像度を、データ通信部２６を介してパソコン１から取得してもよい。
【００２９】
また、調整部１は、基準画像データの解像度と所定解像度から解像度変換部２３による基準画像データに対する解像度変換の変換率を求める。そして、調整部２９は、その求めた解像度変換の変換率に基づいて、データ通信部２６が受け付けた移動情報にて示される移動量を補正する。
【００３０】
調整部２９は、その補正した移動量に応じて、画像合成部２４にて基準画像データに合成される描画画像データの合成位置を調整する。
【００３１】
次に表示システムの動作について説明する。
【００３２】
以下では、ユーザは、パソコン１の入力装置を操作して、プロジェクタ２に基準画像データに応じた基準画像を表示させる。その後、ユーザは、マウス５を操作して、プロジェクタ２に描写画像データを基準画像データに合成させて、合成画像を表示させる。そして、ユーザは、基準画像データが示す基準画像をスクロールさせるものとする。
【００３３】
図２は、表示システムの動作の一例を説明するためのフローチャートである。
【００３４】
先ず、パソコン１は、入力装置への入力内容に応じて図３のような基準画像を示す基準画像データを生成し、その基準画像を表示モニター１３に表示するとともに、基準画像データを、信号ケーブル３を介してプロジェクタ２の画像入力部２１に出力する（ステップＳ１）。
【００３５】
画像入力部２１は、基準画像データを受け付けると、その基準画像データを画像入力用メモリ２２に記録するとともに、その基準画像データを調整部２９に出力する。調整部２９は、基準画像データを受け付けると、その基準画像データの同期信号に基づいて基準画像データの解像度を求め、その基準画像データの解像度が所定解像度に変換されるように解像度変換部２３を設定する。これにより、画像入力用メモリ２２に記録された基準画像データは、解像度変換部２３によって読み出され、所定解像度に変換された後、画像合成部２４を介して表示部２５に出力される。表示部２５は、基準画像データを受け付けると、その基準画像データが示す基準画像を表示する（ステップＳ２）。なお、ここでは、オンスクリーン用メモリ２８に描画画像データが記録されていないので、画像合成部２４は、画像合成を行わない。
【００３６】
その後、ユーザは、プロジェクタ２のマウス５に対して描画操作を行う。マウス５は、描画操作に応じた操作情報を生成部２７に出力する。操作情報は、マウス５の移動情報やマウス５に備わったボタンの押下情報などを含む。生成部２７は、操作情報を受け付けると、その操作情報に応じて描画画像データを生成してオンスクリーン用メモリ２８に記録する（ステップＳ３）。
【００３７】
例えば、ユーザがマウス５の左ボタンをクリックした状態でマウス５を移動した場合、生成部２７は、マウス５の移動の軌跡に応じた線を描画画像として示す描画画像データを生成する。ステップＳ３では、ユーザが左ボタンをクリックした状態でマウス５を左から右に移動させ、図４のような線を示す描画画像データを生成させたものとする。
【００３８】
オンスクリーン用メモリ２８は、記録された描画画像データを画像合成部２４に出力する。これにより、画像合成部２４において、画像入力用メモリ２２に記録された図３のような基準画像を示す基準画像データと、オンスクリーン用メモリ２８に記録された図４で表した描画画像データとが合成されて、図５のような合成画像を示す合成画像データが生成される。画像合成部２４は、その合成画像データを表示部２５に出力する。表示部２５は、合成画像データが示す合成画像を表示する（ステップＳ４）。
【００３９】
その後、ユーザは、パソコン１の入力装置を操作して、表示モニター１３上の基準画像を垂直方向上向きに３０画素分だけ移動させたとする。このとき、パソコン１は、図６のような、図２で示した基準画像を上向きに３０画素分だけ移動された画像を示す基準画像データを、信号ケーブル３を介してプロジェクタ２の画像入力部２１に出力する。そして、パソコン１は、基準画像が垂直方向上向きに３０画素分だけ移動したことを示す移動情報を、通信ケーブル４を介してデータ通信部２６に出力する（ステップＳ５）。なお、移動情報の通信に係る通信形式は、特に限定されず、例えば、ＵＳＢ、ＲＳ−２３２ＣおよびＬＡＮなどの種々の通信形式を用いることができる。
【００４０】
データ通信部２６は、移動情報を受け付けると、その移動情報を調整部２９に出力する。調整部２９は、移動情報を受け付けると、ステップＳ２で求めた基準画像データの解像度と所定解像度から基準画像データに対する解像度変換の変換率を求める。そして、調整部２９は、移動情報が示す移動量を基準画像データに対する解像度変換の変換率に基づいて補正する。
【００４１】
より具体的には、調整部２９は、移動量の水平方向成分に解像度の水平方向の変換率を乗算し、かつ、移動量の垂直方向成分に解像度の垂直方向の変換効率を乗算することで、移動量を補正する。ここでは、基準画像データの解像度を１０２４×７６８とし、所定解像度を８００×６００とする。この場合、移動量の水平方向成分Ｘおよび垂直方向成分Ｙを（Ｘ，Ｙ）と記載すると、調整部２９は、移動量（０，３０）を（０×８００／１０２４，３０×６００／７６８）＝（０，２３）と補正する（ステップＳ６）。なお、補正後の移動量の小数点以下は四捨五入している。
【００４２】
調整部２９は、補正後の移動量に応じて、オンスクリーン用メモリ２８に記録されている描画画像データが示す描画画像を、図７で表わすように上方向に２３画素分移動させる（ステップＳ７）。例えば、調整部２９は、オンスクリーン用メモリ２８に記録されている描画画像データが示す描画画像を上方向に２３画素分移動された情報を生成し、オンスクリーン用メモリ２８に記録しなおす。
【００４３】
これにより、画像合成部２４は、画像入力用メモリ２２に記録された図６のような基準画像を示す基準画像データと、オンスクリーン用メモリ２８に記録された図７のような描画画像を示す描画画像データとを合成して、図８のような合成画像を示す合成画像データを生成することになる。そして、画像合成部２４は、その合成画像データを表示部２５に出力する。表示部２５は、合成画像データが示す合成画像を表示する（ステップＳ８）。
【００４４】
以上説明したように本実施形態によれば、画像入力部２１は、第１の画像データを受け付ける。生成部２７は、第２の画像データを生成する。解像度変換部２３は、第１の画像データの解像度を変換する。画像合成部２４は、解像度が変換された第１の画像データに第２の画像データを合成して合成画像データを生成する。表示部２５は、合成画像データに応じた合成画像を表示する。データ通信部２６は、第１の画像データによる画像の移動量を受け付ける。調整部２９は、移動量を解像度変換部２３による解像度の変換率に基づいて補正し、その補正した移動量に応じて、画像合成部２４にて合成される第２の画像データの合成位置を調整する。
【００４５】
この場合、解像度の変換率に応じて補正された第１の画像データの移動量に応じて、第２の画像データの合成位置が調整される。このため、解像度変換が行われても、画像の合成位置をユーザの意図と合わせることが可能になる。
【００４６】
以上説明した各実施形態において、図示した構成は単なる一例であって、本発明はその構成に限定されるものではない。
【００４７】
例えば、基準画像が横方向に移動した場合、当然のことながら、移動情報は横方向の移動を示し、調整部２９は、オンスクリーン用メモリ２８内の描画画像データが示す描画画像を横方向に移動させることになる。
【００４８】
また、プロジェクタ２には、操作装置としてマウス５が接続されていたが、操作装置は、プロジェクタ２と一体化された操作パネルのようなものでもよい。
【００４９】
また、表示装置としてプロジェクタ２を用いたが、表示装置は、プロジェクタ２に限らず適宜変更可能である。
【図１】
2012042662.tif 000003
【図２】
2012042662.tif 000004
【図３】
2012042662.tif 000005
【図４】
2012042662.tif 000006
【図５】
2012042662.tif 000007
【図６】
2012042662.tif 000008
【図７】
2012042662.tif 000009
【図８】
2012042662.tif 000010
【国際調査報告】
2012042662.tif 000011
2012042662.tif 000012